(57)【要約】【課題】厚さが非常に薄くなってきている温水暖房パネルの各配管を効果的に接続できてその接続状態の固定を確実に行え、そして再接続作業も簡単に行えるようにすることのできる接続金具及びクリップを簡単な構造によって提供すること。【解決手段】内部に通路を有する金具本体２１と、この金具本体２１表面に現われた通路の各開口に固着されて、配管３０の端部が液密的に接続される接続管２２とを備えるとともに、これらの接続管２２及び配管３０の端部に、接続時に互いに当接することになる当接頭部２３・３１と、これらの当接頭部２３・３１より内方に位置してこれより小径で円環状の保持頸部２４・３２とをそれぞれ形成して、接続管２２に配管３０の端部を接続して各当接頭部２３・３１を当接させたとき、接続管２２及び配管３０の各保持頸部２４・３２内にクリップ４０の略円環状の係止リング４２をそれぞれ係合させることにより、これら接続管２２及び配管３０との接続状態を保持し得るようにしたこと。【選択図】図２
2004060896.tif 000002
【特許請求の範囲】
【請求項１】
各部屋に設置されるべき温水暖房パネルに温水を供給する配管を接続するために使用する接続金具であって、
内部に通路を有する金具本体と、この金具本体表面に現われた前記通路の各開口に固着されて、前記配管の端部が液密的に接続される接続管とを備えるとともに、
これらの接続管及び前記配管の端部に、接続時に互いに当接することになる当接頭部と、これらの当接頭部より内方に位置してこれより小径で円環状の保持頸部とをそれぞれ形成して、
前記接続管に配管の端部を接続して各当接頭部を当接させたとき、前記接続管及び配管の各保持頸部内にクリップの略円環状の係止リングをそれぞれ係合させることにより、これら接続管及び配管との接続状態を保持し得るようにしたことを特徴とする温水暖房パネルのための接続金具。
【請求項２】
各部屋に設置されるべき温水暖房パネルに温水を供給する配管を接続金具に接続し、この接続状態を保持するために使用するクリップであって、
各下面が同一平面上に位置して、間の距離が前記接続金具の接続管及び配管の端部に形成してある保持頸部の直径より小なる左右の基部と、これらの基部から略円環状に立ち上がって、前記両保持頸部内にそれぞれ嵌合される前後の係止リングと、これらの係止リング間に形成されて、前記接続管及び配管の端部に形成された当接頭部が嵌合されることになる係止溝とを備えたことを特徴とする温水暖房パネルのための配管接続状態を保持するクリップ。
【発明の詳細な説明】
【０００１】
【産業上の利用分野】
本発明は、各部屋に設置される温水暖房パネルのための接続金具と、これと配管との接続状態を保持するために使用するクリップとに関するものである。
【０００２】
【従来の技術】
出願人等は、温水を循環させることにより、その潜熱によって床や壁の暖房を行い、そのまま根太や床板上に設置するだけで暖房を行えるようにした温水暖房用パネルを種々開発し、そのための接続金具も種々開発してきた。これらの開発の間にあって、前述した温水暖房用パネルの厚さを薄くする要望も高まってきて、パネル自体の薄関化は十分達成できたが、これらと配管とを接続するための接続金具及び接続状態の保持を行うクリップの小型化がこれに追い付かない実状にあった。
【０００３】
より具体的には、図１に示したように、各部屋を区画する壁内の配管が通せる隙間は約４０ｍｍ程度と比較的広いのであるが、床暖房用パネルの配管は、そのフローリングとの間の、１１ｍｍ程度と非常に狭い隙間内に配置し施工しなければならないものとなってきているのである。
【０００４】
特に、各配管を接続した後に、その接続状態を固定しておくクリップについてみてみると、従来では図７に示したようなものが採用されていたのであるが、この従来のクリップは、配管等に形成してある溝内に嵌合される一対の挟み部と、これら挟み部を上端側で連結するための連結部と、各挟み部の下端にて下方に広がる脚部とからなるものであった。
【０００５】
つまり、この従来のクリップは、特に図７の（イ）に示したように、各脚部が配管の図示下面より寸法ｈ２で突出するものであり、またその連結部が寸法ｈ３で上方に突出するものとなっていた。各脚部は、下方に広がって寸法ｈ２以上で突出させておかないと、各挟み部の配管に対する嵌合操作ができないし、また連結部がないと両挟み部の弾性力が確保できないし取外しも行えないため、寸法ｈ２及びｈ３はどうしても必要だったのである。
【０００６】
このように、寸法ｈ２及びｈ３で上下に突出するこの図７に示した従来のクリップは、図１に示したような厚さ１１ｍｍ程度の温水暖房用パネルの各配管を接続するものとしては大き過ぎて使用できなかったのである。
【０００７】
そこで、本発明者等は、非常に薄くなってきている温水暖房用パネルの各配管を小さな空間でも接続できるようにするにはどうしたらよいか、について種々検討を重ねてきた結果、本発明を完成したのである。
【０００８】
【発明が解決使用とする課題】
本発明は、以上の経緯に基づいてなされたもので、その解決しようとする課題は、厚さが非常に薄くなってきている温水暖房パネルの各配管を効果的に接続できてその接続状態の固定を確実に行え、そして再接続作業も簡単に行えるようにすることのできる接続金具及びクリップを簡単な構造によって提供することにある。
【０００９】
【課題を解決するための手段】
以上の課題を解決するために、まず、請求項１に係る発明の採った手段は、後述する実施の形態の説明中において説明する符号を付して説明すると、
「各部屋に設置されるべき温水暖房パネル１０に温水を供給する配管３０を接続するために使用する接続金具２０であって、
内部に通路を有する金具本体２１と、この金具本体２１表面に現われた前記通路の各開口に固着されて、配管３０の端部が液密的に接続される接続管２２とを備えるとともに、
これらの接続管２２及び配管３０の端部に、接続時に互いに当接することになる当接頭部２３・３１と、これらの当接頭部２３・３１より内方に位置してこれより小径で円環状の保持頸部２４・３２とをそれぞれ形成して、
接続管２２に配管３０の端部を接続して各当接頭部２３・３１を当接させたとき、接続管２２及び配管３０の各保持頸部２４・３２内にクリップ４０の略円環状の係止リング４２をそれぞれ係合させることにより、これら接続管２２及び配管３０との接続状態を保持し得るようにしたことを特徴とする温水暖房パネル１０のための接続金具２０」
であり、また請求項２に係る発明の採った手段は、
「各部屋に設置されるべき温水暖房パネル１０に温水を供給する配管３０を接続金具２０に接続し、この接続状態を保持するために使用するクリップ４０であって、
各下面が同一平面上に位置して、間の距離が接続金具２０の接続管２２及び配管３０の端部に形成してある保持頸部２４・３２の直径より小なる左右の基部４１と、これらの基部４１から略円環状に立ち上がって、両保持頸部２４・４３内にそれぞれ嵌合される前後の係止リング４２と、これらの係止リング４２間に形成されて、接続管２２及び配管３０の端部に形成された当接頭部２３・３１が嵌合されることになる係止溝４３とを備えたことを特徴とする温水暖房パネル１０のための配管接続状態を保持するクリップ４０」
であって、これら２つの発明はサブコンビーネーションの関係にある。
【００１０】
すなわち、まず請求項１に係る接続金具２０は、図１に示すように、各部屋の、例えば床暖房を行うために使用する温水暖房パネル１０に、各部屋等を区画している壁内等に配置されている各配管３０を介して温水を供給するに際して、この温水暖房パネル１０側の配管３０と壁内側の配管３０との接続を行うものである。そして、この接続金具２０の各接続管２２に配管３０をそれぞれ接続した後において、接続管２２と配管３０との接続状態をしっかりと保持するために使用されるのが、請求項２に係るクリップ４０なのである。
【００１１】
なお、温水暖房パネル１０は、内部に温水を循環させるための管路が形成してあって、その各端部は、供給側であれ戻り側であれ、壁内で使用されている配管３０と略同じの配管３０としてある。そして、この温水暖房パネル１０の上面は、通常は床面、つまりフローリングを形成するものであり、このフローリングとスラブとの間の寸法は、後述する実施形態のものにあっては約１１ｍｍ程度となっている。
【００１２】
さて、温水暖房パネル１０から突出している配管３０に対しては、壁の下端部に設置した請求項１に係る接続金具２０の接続管２２が接続される。接続金具２０は、図２の（イ）に示すように、通路を内部に有する金具本体２１に対して、温水暖房パネル１０側に延びる接続管２２がそれぞれ取付けてあり、これらの接続管２２の先端に対して、図２の（ロ）にも示すように、温水暖房パネル１０側の各配管３０が液密的な挿入によって接続されるのである。そして、接続金具２０側の接続管２２の先端には、図２の（ロ）に拡大して示したように、配管３０側の当接頭部３１に当接することになる当接頭部２３と、これより内側に位置して円環状となっている保持頸部２４とが形成してあり、配管３０側についてもその当接頭部３１の内側に保持頸部３２が形成してある。
【００１３】
接続金具２０側の保持頸部２４及び配管３０側の保持頸部３２は、請求項２に係るクリップ４０の各係止リング４２が略ピッタリと入り込む形状と深さを有しているものであり、当接頭部２３・３１は、互いに当接したとき、図２の（イ）に示すように、クリップ４０側の係止溝４３内に完全に入り込むことになるものである。
【００１４】
請求項２に係るクリップ４０は、図４に示したように、各下面が同一平面上に位置して、間の距離が接続金具２０の接続管２２及び配管３０の端部に形成してある保持頸部２４・３２の直径より小なる左右の基部４１と、これらの基部４１から略円環状に立ち上がって、両保持頸部２４・４３内にそれぞれ嵌合される前後の係止リング４２と、これらの係止リング４２間に形成されて、接続管２２及び配管３０の端部に形成された当接頭部２３・３１が嵌合されることになる係止溝４３とを備えたものであり、その取付操作及び取外操作は図５に示すようにしてなされてる。
【００１５】
すなわち、接続金具２０の接続管２２に対して配管３０の差込部３３を挿入した各当接頭部２３・３１を当接させておいて、その上方からクリップ４０を押し込むのが取付操作となるのであるが、各係止リング４２が保持頸部２４・３２内に入るようにするのである。そうすると、クリップ４０の各基部４１が接続管２２または配管３０の外周に当接するとともに、押圧力によって各係止リング４２が開いて簡単に各保持頸部２４・３２に嵌入される。勿論、これらの係止リング４２の間の係止溝４３内には、当接頭部２３・３１がピッタリと入り込む。
【００１６】
このクリップ４０を取付けたときには、その各係止リング４２が接続金具２０の接続管２２先端に形成してある保持頸部２４内と、配管３０側の保持頸部３２内との両方にしっかりと入り込んでいて、かつ両当接頭部２３・３１をその係止溝４３内に嵌合して保持しているから、各配管３０と接続金具２０側の接続管２２との接続状態はしっかりと保持されることになるのである。
【００１７】
クリップ４０の各係止リング４２はもともと弾性材料によって形成してあるから、上記取付操作が完了すれば、図５の（イ）に示すように、接続金具２０の当接頭部２３または配管３０の保持頸部３２内に完全に嵌入し、基部４１以外は接続管２２及び配管３０の外周から突出するものがない状態となる。しかも、突出している各基部４１についても、その各裏面が同一平面上にあるものであるから、図５の（イ）に示すように、スラブ上僅かな位置にある。後述の実施形態にあっては、スラブから各基部４１間での高さｈを、接続管２２または配管３０のスラブ上での設置高さｈ０と略同じとしてあるから、結果として、この請求項２のクリップ４０は、接続管２２または配管３０を設置でいる空間さえあれば、十分使用できるものとなっている。
【００１８】
逆に、このクリップ４０は、配管３０が古くなったりまたその接続箇所の変更を行いたい場合等において取外す必要があるが、その作業は、図５の（ロ）に示すように、非常に容易なものとなっている。すなわち、このクリップ４０は、接続金具２０側の接続管２２または配管３０に対して、嵌合されることになる各係止リング４２が略円環状のものとしてあるため、これらの接続管２２または配管３０に対して自由に回転し得るものとなっている。このため、図５の（ロ）に示したように、一方の基部４１の下側に、ドライバー等の工具５０の先端を差し込んでこじ開ければ、他方の基部４１が支点となって簡単に外せることになるのである。
【００１９】
図６には、接続金具２０の他の実施例が示してあるが、その接続管２２の先端に形成してある当接頭部２３や保持頸部２４は、図２に示したものと同様である。なお、この図６の（ロ）及び図３に示したように、金具本体２１から立ち上がる接続管２２についても当接頭部２３及び保持頸部２４が形成してあるが、この立ち上がる接続管２２は通常は図１に示したように壁内に入るものであるから、請求項２のクリップ４０は勿論、図７に示した従来から使用されているクリップも使用できるものとなっている。
【００２０】
従って、本発明に係る当接頭部２３及びクリップ４０によれば、厚さが非常に薄くなってきている温水暖房パネル１０を設置するにあたって、各温水暖房パネル１０側の配管３０と当接頭部２３、この当接頭部２３と、例えば壁内の配管３０との接続を効果的に接続し得るのであり、またその接続状態を確実に維持することができるのである。
【００２１】
【発明の実施の形態】
次に、上記のように構成した各請求項に係る発明を、図面に示した実施の形態である接続金具２０及びクリップ４０について説明するが、上記各発明はこの実施形態中に実質的に含まれるものである。
【００２２】
図１には、本発明に係る接続金具２０及びクリップ４０を使用して、各部屋に温水暖房パネル１０を設置した部分断面図が示してあり、図示左方下側に設置した温水暖房パネル１０に対して接続金具２０を接続し、この接続金具２０に対しては、各部屋を区画している壁内に設置した配管３０が接続してある。壁内の各配管３０に対しては、図示しない給湯装置からの温が供給されるものであり、図示上方の配管３０から供給されてきた温は、途中の分岐金具によって、温水暖房パネル１０側への流れと階下の部屋への流れが形成されている。
【００２３】
温水暖房パネル１０は、その中に湯を循環させる配管がしてあり、この配管の全体を保温材によって保温し、表面となる部分にフローリング材を配置したものである。そして、内部の配管が外部に出る部分に、壁内の配管３０と同様な配管３０が使用されている。
【００２４】
この温水暖房パネル１０を構成している配管３０及び接続金具２０に向う配管３０の先端には、特に図２の（ロ）及び図３に示したように、後述する接続金具２０側の接続管２２の当接頭部２３と同径の当接頭部３１が形成してあり、この当接頭部３１の内側（図２の（ロ）では図示下側）には、後述するクリップ４０の係止リング４２の厚さと同じ深さの保持頸部３２が形成してある。なお、この配管３０は、接続金具２０の接続管２２内に液密的に挿入して接続されるものであるから、その先端、つまり当接頭部３１より先の部分には、図２の（ロ）に示したように、パッキングを取付けた差込部３３が一体的に形成してある。
【００２５】
このような配管３０が接続されるべき接続金具２０は、図２の（イ）または図６に示したように、その金具本体２１に複数の接続管２２が取付けてあるものであるが、これら各接続管２２は、図６中の点線で例示したように、金具本体２１内に通路によって適宜なもの同士が連通し合っているものである。また、各接続管２２の先端には、前述した配管３０側の当接頭部３１と略同径の当接頭部２３が形成してあり、この当接頭部２３の内側（金具本体２１側）には、後述するクリップ４０の各係止リング４２が嵌合されることになる保持頸部２４が形成してある。
【００２６】
この保持頸部２４は、その中に嵌合されたクリップ４０の係止リング４２を保持するものであるから、その深さは、クリップ４０の係止リング４２の厚さ以上のものとしてあり、幅は係止リング４２が完全に収納される程度としてある。つまり、この保持頸部２４は、その中にクリップ４０の係止リング４２が嵌合されたとき、クリップ４０を動かないように保持するものである。
【００２７】
そして、クリップ４０であるが、このクリップ４０は、図１に示したように、温水暖房パネル１０側の配管３０と接続金具２０とを接続した後、及び接続金具２０と壁内の配管３０とを接続した後に使用されるものであり、その全体はスプリングのような十分な弾性力及び復帰力を有しているものである。
【００２８】
このクリップ４０は、一枚の金属板から形成した一体的なものであり、下面が一つの平面上に位置することになる一対の基部４１と、これらの基部４１からそれぞれ円環状に立ち上がって、間に係止溝４３を形成する一対の係止リング４２とを有しているものである。勿論、各係止リング４２の平常時の直径は、図５の（イ）にも示したように、接続金具２０を構成している接続管２２に形成した保持頸部２４の直径と略同じであり、その厚さと幅は、保持頸部２４の深さと幅に同じである。
【００２９】
これらの係止リング４２間に形成された係止溝４３は、接続金具２０側の当接頭部２３と配管３０側の当接頭部３１とを当接させたとき、図２中の二点鎖線矢印にて示したように、その両当接頭部２３・３１が嵌入されることになるのであり、両当接頭部２３・３１が当接し合った状態を、各係止リング４２の保持頸部２４・３２内への係合とともに、維持することになるものである。
【００３０】
【発明の効果】
以上、詳述した通り、請求項１に係る発明においては、上記実施形態にて例示した如く、
「各部屋に設置されるべき温水暖房パネル１０に温水を供給する配管３０を接続するために使用する接続金具２０であって、
内部に通路を有する金具本体２１と、この金具本体２１表面に現われた前記通路の各開口に固着されて、配管の端部が液密的に接続される接続管２２とを備えるとともに、
これらの接続管２２及び配管３０の端部に、接続時に互いに当接することになる当接頭部２３・３１と、これらの当接頭部２３・３１より内方に位置してこれより小径で円環状の保持頸部２４・３２とをそれぞれ形成して、
接続管２２に配管３０の端部を接続して各当接頭部２３・３１を当接させたとき、接続管２２及び配管３０の各保持頸部２４・３２内にクリップ４０の略円環状の係止リング４２をそれぞれ係合させることにより、これら接続管２２及び配管３０との接続状態を保持し得るようにしたこと」
にその構成上の特徴があり、請求項２のクリップ４０を有効に活用することができて、結果的に、温水暖房パネル１０側と壁内の配管３０との接続を確実かつ簡単に行うことのできる接続金具２０を提供することができるのである。
【００３１】
また、請求項２に係る発明においては、同様に、
「各部屋に設置されるべき温水暖房パネル１０に温水を供給する配管３０を接続金具２０に接続し、この接続状態を保持するために使用するクリップ４０であって、
各下面が同一平面上に位置して、間の距離が接続金具２０の接続管２２及び配管３０の端部に形成してある保持頸部２４・３２の直径より小なる左右の基部４１と、これらの基部４１から略円環状に立ち上がって、両保持頸部２４・４３内にそれぞれ嵌合される前後の係止リング４２と、これらの係止リング４２間に形成されて、接続管２２及び配管３０の端部に形成された当接頭部２３・３１が嵌合されることになる係止溝４３とを備えたこと」
にその構成上の特徴があり、これにより、請求項１の接続金具２０との共働によって、狭い空間内であっても、接続金具２０と配管３０との接続状態を確実に保持することができることは勿論、その取付及び取外し作業を容易に行うことのできるクリップ４０を簡単な構成によって提供することができるのである。
【図面の簡単な説明】
【図１】本発明に係る接続金具及びクリップを使用して、温水暖房パネルに壁内の配管を接続した状態を示す家屋の部分断面図である。
【図２】同接続金具に配管を接続した状態を示すもので、（イ）はその一部破断平面図、（ロ）は接続金具の接続管に配管を接続しクリップによりその固定を行う様子を示した部分平面図である。
【図３】図２の（イ）に示した接続金具の正面図である。
【図４】接続金具と配管との接続状態を固定するためのクリップを示すもので、（イ）はその斜視図、（ロ）は正面図、（ハ）は平面図、（ニ）は側面図である。
【図５】クリップの機能を示すもので、（イ）は接続金具の接続管に配管を接続したときの状態を固定している様子を示す正面図、（ロ）は工具によって取り外すときの様子を示す正面図である。
【図６】本発明に係る別の接続金具を示すもので、（イ）は平面図、（ロ）は正面図である。
【図７】従来のクリップを示すもので、（イ）は縦断面図、（ロ）は側面図である。
【符号の説明】
１０　温水暖房パネル
２０　接続金具
２１　　金具本体
２２　　接続管
２３　　当接頭部
２４　　保持頸部
３０　　配管
３１　　当接頭部
３２　　保持頸部
３３　　差込部
４０　　クリップ
４１　　基部
４２　　係止リング
４３　　係止溝
５０　　工具
【図１】
2004060896.tif 000003
【図２】
2004060896.tif 000004
【図３】
2004060896.tif 000005
【図４】
2004060896.tif 000006
【図５】
2004060896.tif 000007
【図６】
2004060896.tif 000008
【図７】
2004060896.tif 000009